(57)【要約】【課題】装着感および耐久性に優れる革巻きバンド部材、およびこのバンド部材を適用し得る腕時計、並びに装身具を提供すること。【解決手段】本発明のバンド部材２０は、湾曲した芯材２１と、芯材２１に巻かれており、芯材２１の内周側で縫合材２４により縫合される表皮材２２とを備え、芯材２１の内周部における縫合材２４に対応する位置には、溝（凹部）２１０が形成されている。このように芯材２１に溝２１０が形成されていることにより、表皮材２２を縫い合わせた縫合材２４およびその近傍を溝２１０に挿入することが可能となり、腕への装着時に縫合材２４が腕に当たったり擦れたりしないので、装着感および耐久性に優れる。【選択図】図２
2009077886.tif 000002
【特許請求の範囲】
【請求項１】
湾曲した芯材と、
前記芯材に巻かれており、前記芯材の内周側で縫合材により縫合される表皮材とを備え、
前記芯材の内周部における前記縫合材に対応する位置には、凹部が形成されている
ことを特徴とするバンド部材。
【請求項２】
請求項１に記載のバンド部材において、
前記芯材の表面と前記表皮材の裏面とは、少なくとも前記凹部の一部を含む領域に設けられた接着剤により接合されている
ことを特徴とするバンド部材。
【請求項３】
請求項１または２に記載のバンド部材において、
前記表皮材は、前記芯材の周方向に沿って縫合され、
前記凹部は、前記芯材の周方向に沿って延びる溝である
ことを特徴とするバンド部材。
【請求項４】
請求項３に記載のバンド部材において、
前記芯材の内周部における前記溝の幅方向両側には、前記芯材の湾曲形状の外側から内側に向かって膨らむ膨出部が形成されている
ことを特徴とするバンド部材。
【請求項５】
請求項３または４に記載のバンド部材において、
前記溝の幅方向両側の端部はそれぞれ、前記溝の内側に向かって次第に窪むように形成されている
ことを特徴とするバンド部材。
【請求項６】
請求項１から５のいずれかに記載のバンド部材を備える
ことを特徴とする腕時計。
【請求項７】
請求項１から５のいずれかに記載のバンド部材を備える
ことを特徴とする装身具。
【発明の詳細な説明】
【技術分野】
【０００１】
本発明は、湾曲形状の芯材に皮革などの表皮材が設けられたバンド部材、およびこれを備えた腕時計並びに装身具に関する。
【背景技術】
【０００２】
従来、腕時計のバンドとして革製バンドが多く用いられている（例えば、特許文献１）。この革製バンドは、平坦な芯材を挟んで表材と裏材とが糸で縫合されている。このような革バンドにおける縫い目は革バンドの外周縁部に設けられており、縫い付け時の糸引張り力により、縫い糸は革に食い込んでバンド表面から潜っている。
【０００３】
【特許文献１】特開２００７−３７５９０号公報
【発明の開示】
【発明が解決しようとする課題】
【０００４】
特許文献１のような平坦な革製バンドでは、例えばこのまま湾曲させてバングル状とするなどしたとしても、意匠性の向上には限界がある。このため、金属製や樹脂製などのバングルウォッチのバンドのように環状や円弧状、Ｃ字状などの湾曲した芯材を使用して、この芯材に革を巻きつけることによって革製バンドの意匠性を高めることが考えられる。
しかしながら、湾曲形状の芯材に革を巻きつけて革の端縁部同士を芯材の内周側で縫い合わせることにより、縫い目部分の糸が腕側に突出して腕に当たり、装着感が良くないとともに、腕との摩擦により縫い糸が切れ易いという問題がある。
【０００５】
上記課題に鑑みて、本発明の目的は、装着感および耐久性に優れるバンド部材、およびこのバンド部材を適用し得る腕時計、並びに装身具を提供することにある。
【課題を解決するための手段】
【０００６】
本発明のバンド部材は、湾曲した芯材と、前記芯材に巻かれており、前記芯材の内周側で縫合材により縫合される表皮材とを備え、前記芯材の内周部における前記縫合材に対応する位置には、凹部が形成されていることを特徴とする。
【０００７】
この発明によれば、表皮材を縫い合わせた縫合材および縫い目近傍の表皮材を芯材の凹部に挿入することが可能となり、腕への装着時に縫合材が腕に当たったり擦れたりしないので、装着感および耐久性に優れたバンド部材を実現できる。
なお、縫合材としては、例えば糸、ピン、ねじ、鋲、接着剤などを例示できる。すなわち、表皮材を芯材の内周側で縫合することが可能な各種の縫合材を使用できる。
ここで、凹部が設けられることにより、縫合材が糸やピン等とされる場合にはより太いものを使用可能となるため、さらなる耐久性向上が図られる。また、縫合材の形態に関わらず、縫合材が凹部に挿入されることによって芯材に対する表皮材の位置が決まるので、表皮材が芯材に対してねじれにくくなる点でも耐久性を向上できる。
そのうえ、凹部の位置を目安に表皮材を縫い合わせることができるので、製造が容易となる。
【０００８】
なお、芯材の形状は、円弧状や環状、Ｃ字状に湾曲するものであれば任意である。芯材の断面形状についても、断面略円形や断面楕円形、断面四角形など任意であり、芯材の断面形状は均一であっても、均一でなくてもよい。
また、本発明では表皮材の芯材への巻きつけと、表皮材の縫合との各工程の順序は問わない。つまり、芯材を表皮材に巻いた状態で表皮材の端縁部を縫い合わせてもよいし、表皮材の端縁部を縫い合わせて表皮材を筒状とした後、表皮材を芯材に被せてもよい。
そして、凹部が形成される位置に関しては、芯材の内周部における一部であってもよいし、内周部全体に凹部が形成されていてもよい。
【０００９】
本発明のバンド部材において、前記芯材の表面と前記表皮材の裏面とは、少なくとも前記凹部の一部を含む領域に設けられた接着剤により接合されていることが好ましい。
【００１０】
この発明によれば、接着剤が凹部に溜まるので、接着剤の塗布作業が容易になるとともに、凹部に挿入された縫合材および縫い目近傍の表皮材と芯材とが確実に接着固定される。このように確実に接着固定されることによって縫合材が凹部に挿入された状態を維持できるので、良好な装着感を維持できるとともに、耐久性をさらに向上させることができる。
なお、接着剤が設けられるのは、凹部の一部でも全部でもよく、少なくとも凹部の一部を含む位置に接着剤が設けられていればよい。
【００１１】
本発明のバンド部材において、前記表皮材は、前記芯材の周方向に沿って縫合され、
前記凹部は、前記芯材の周方向に沿って延びる溝であることが好ましい。
【００１２】
この発明によれば、芯材に巻いた表皮材を芯材の溝に沿って容易に縫合できるとともに、縫合された表皮材の両端縁部を凹部に容易かつ確実に挿入できる。
また、接着剤により表皮材と芯材とが接合される場合、接着剤の溜まり部分が芯材の周方向に沿って形成されることで、表皮材と芯材とをより確実に接着できる。
【００１３】
本発明のバンド部材において、前記芯材の内周部における前記溝の幅方向両側には、前記芯材の湾曲形状の外側から内側に向かって膨らむ膨出部が形成されていることが好ましい。
【００１４】
この発明によれば、膨出部が形成されていない場合と比べて芯材の外周部側から内周部側に向かって表皮材をシワを寄せずに巻き易くなるとともに、芯材に巻かれた表皮材の端縁部同士を縫い合わせ易く、しかも膨出部から溝に向かって表皮材を挿入し易くなる。すなわち、作業性が向上する。
【００１５】
本発明のバンド部材において、前記溝の幅方向両側の端部はそれぞれ、前記溝の内側に向かって次第に窪むように形成されていることが好ましい。
【００１６】
この発明によれば、溝が例えば断面四角形とされ溝の端部が直角とされるような場合と比べて表皮材が溝の凹形状に追従し易くなるので、作業性を向上させることができる。
【００１７】
本発明の腕時計は、前述のバンド部材を備えることを特徴とする。
本発明の装身具は、前述のバンド部材を備えることを特徴とする。
これらの発明によれば、それぞれ前述のバンド部材を備えるため、前述と同様の作用および効果を享受できる。すなわち、湾曲形状の芯材に革などの表皮材が巻かれた前記のバンド部材により、意匠性に優れるだけでなく、装着感および耐久性にも優れた時計および装身具を提供できる
【発明の効果】
【００１８】
以上の本発明によれば、装着感および耐久性に優れたバンド部材、およびこのバンド部材を備えた腕時計並びに装身具を提供できる。
【発明を実施するための最良の形態】
【００１９】
以下、本発明の一実施形態について説明する。なお、以降の説明において、既に説明した構成と同様の構成については、同一符号を付して、説明を省略もしくは簡略する。
【００２０】
図１は、本実施形態に係る腕時計の使用状態を示す斜視図である。この腕時計は、ムーブメントを収容するケース１０と、ケース１０に固定されるカン１１と、カン１１よりケース１０と連結されるバンド部材２０と、バンド部材２０の端部に固定される金属製のパーツ１２とを備えている。本実施形態の時計のバンドは、バンド部材２０とパーツ１２とを有し、全体として略環状に構成されている。
【００２１】
図２はバンド部材２０の斜視図であり、図３はバンド部材２０の断面図である。
バンド部材２０は、樹脂製などの任意の材質で形成された芯材２１と、この芯材２１に巻かれた表皮材２２とを備えている。
図４は、芯材２１の斜視図である。芯材２１は、長さ方向にＣ字状に湾曲して形成されている。この芯材２１は断面略楕円形とされ、一端側が他端側に比べて大径に形成されている。芯材２１において大径とされた一端部には、カン１１にねじなどで固定される固定部２１Ａが形成され、芯材２１の他端部には、パーツ１２取付用の孔２１Ｂが形成されている。
【００２２】
ここで、芯材２１の内周部には、断面略Ｕ字状（かまぼこ形状）とされ芯材２１の周方向（長さ方向）に沿って芯材２１の一端部から他端部まで延びる溝２１０が形成されている。この溝２１０は、芯材２１の湾曲形状を含む面に交差する方向（バンドの高さ方向）の略中央部に形成されており、溝２１０の幅方向両側には、芯材２１の湾曲形状の外側から内側に向かって膨らむ膨出部２１１がそれぞれ形成されている。
【００２３】
図２および図３に示す表皮材２２は、革、布、樹脂製シートなどの柔軟性を有する任意の材質で形成され、芯材２１との間に接着剤２３が介在した状態で芯材２１における固定部２１Ａを除く表面全体に沿って設けられている。
表皮材２２の端縁部２２Ａ同士は、芯材２１の溝２１０に対応する位置で絹、綿、樹脂繊維などの適宜の材質から形成された縫合材としての糸２４によって縫い合わせられている。図３等に示した糸２４において、表皮材２２の裏側に位置する部分の図示は省略した。表皮材２２の裏側で糸２４は接着剤２３に接触している。
なお、本実施形態では表皮材２２の端縁部２２Ａ同士が突き合わせられた状態で縫合されているが、表皮材２２の端縁部２２Ａ同士が一部重なった状態で縫合されていてもよい。
【００２４】
本実施形態における接着剤２３は、溝２１０の内部を含む芯材２１の表面と表皮材２２の裏面との間の全体に設けられているが、接着剤２３芯材２１の表面と表皮材２２の裏面との間において少なくとも溝２１０の内側の一部を含む領域に設けられていればよい。
【００２５】
芯材２１に表皮材２２を巻いて縫合する際には、表皮材２２および芯材２１の少なくとも一方に接着剤２３を塗布してから芯材２１の外周部に表皮材２２を設け、表皮材２２の両端部２２Ａを芯材２１の内周部側に引っ張りながら糸２４で縫い合わせる。この際、芯材２１の溝２１０に接着剤２３が溜まるため、表皮材２２の芯材２１への巻きつけ作業および縫合作業がし易い。また、溝２１０の位置に表皮材２２の端縁部２２Ａを沿わせるようにすることで、縫合作業を行い易い。
なお、表皮材２２の柔軟性に加え、芯材２１に膨出部２１１が設けられていることで表皮材２２が芯材２１の表面に沿い易い。このため、表皮材２２が芯材２１の表面に接着剤２３を介して密着した状態となるように、表皮材２２の端縁部２２Ａ同士を容易に縫い合わせることができる。
【００２６】
表皮材２２の端縁部２２Ａを縫い合わせた後、糸２４で縫合された部分を芯材２１に向かって押すようにして溝２１０の内部に糸２４および糸２４近傍の表皮材２２を挿入する。これによってバンド部材２０は図２に示す状態となり、接着剤２３の硬化によって表皮材２２と芯材２１とが一体に固定される。接着剤２３は、図３に示すように溝２１０の内部に残留しており、糸２４およびその近傍の表皮材２２が溝２１０の内部の接着剤２３で固定される。このように完成したバンド部材２０の固定部２１Ａをカン１１に固定するとともに、カン１１に固定された側とは反対側のバンド部材２０の端部にパーツ１２を連結することにより、時計の組立が完了する。この時計を図１のように腕に装着する際には、バンド部材２０およびパーツ１２で形成される環を内側から外側に拡げながら腕を環の内側に通せばよい。
【００２７】
なお、芯材２１に接着剤２３を塗布するよりも、芯材２１に巻く前の平坦な表皮材２２に接着剤２３を塗布するほうが容易である。また、接着剤２３の塗布後、接着剤２３が少し硬化して流動性が低くなった状態で表皮材２２の芯材２１への巻きつけ、および縫合をすればこれらの作業がし易い。
【００２８】
ここで、本実施形態と、芯材に溝が形成されていない比較例とについてそれぞれ、図１のように時計を腕に装着した状態で１日９時間程度時計を携帯する耐久性および装着感の試験を行ったところ、次のような結果が得られた。なお、比較例におけるバンド部材の構成は、溝が形成されていない以外は芯材２１と同形状の芯材に表皮材２２を巻いて糸２４により縫合したものである。
【００２９】
【表１】
2009077886.tif 000003
【００３０】
本実施形態によれば、次のような効果が得られる。
（１）バンド部材２０の芯材２１に溝２１０が形成されていることにより、表皮材２２を縫い合わせた糸２４およびその近傍を芯材２１の溝２１０に挿入することが可能となり、腕への装着時に糸２４が腕に当たったり擦れたりしないので、装着感および耐久性に優れる。また、糸２４が溝２１０に挿入されることによって芯材２１に対する表皮材２２の位置が決まり、表皮材２２が芯材２１に対してねじれにくくなる点でも、耐久性を向上できる。
そのうえ、溝２１０の位置を目安に表皮材２２を縫い合わせることができるので、バンド部材２０を容易に製造できる。
なお、芯材２１に溝２１０が設けられているため、糸２４の太さをより太くすることが可能となる。これにより、さらなる耐久性向上が図られる。
【００３１】
（２）芯材２１の表面と表皮材２２の裏面とを接着する接着剤２３が溝２１０に溜まるので、接着剤２３の塗布作業が容易になるとともに、溝２１０に挿入された糸２４および糸２４近傍と芯材２１とが確実に接着固定される。このように確実に接着固定されることによって糸２４が溝２１０に挿入された状態を維持できるので、良好な装着感を維持できるとともに、耐久性をさらに向上できる。
【００３２】
（３）表皮材２２の縫い目と溝２１０とがそれぞれ芯材２１の周方向に沿って配置されることにより、芯材２１に巻いた表皮材２２を芯材２１の溝２１０に沿って容易に縫合できる。さらに、縫合された表皮材２２の端縁部を溝２１０に容易にかつ確実に挿入できるので、表皮材２２と芯材２１とをより確実に接着できる。
【００３３】
（４）芯材２１の内周部における溝２１０の幅方向両側に膨出部２１１が形成されているため、膨出部２１１が形成されていない場合と比べて芯材２１の外周部側から内周部側に向かって表皮材２２をシワを寄せずに巻き易くなるとともに、芯材２１に巻いた状態で表皮材２２の端縁部同士を縫い合わせ易く、しかも膨出部２１１から溝２１０に向かって表皮材２２を納め易くなる。すなわち、作業性が向上する。
【００３４】
（５）溝２１０は断面Ｕ字状に形成され、溝２１０の幅方向両側の端縁部が次第に窪むようになだらかに形成されているので、表皮材２２が溝２１０の凹形状に追従し易くなる。このため、作業性を向上させることができる。
【００３５】
〔本発明の変形例〕
本発明は前記実施形態には限定されず、本発明の課題を解決しうる範囲で各種の改良および変形が可能である。
図５〜図７はそれぞれ、前記実施形態とは芯材の凹部形状が異なる変形例を示す。
図５は、本発明の第１変形例に係るバンド部材の断面図である。本例では芯材２５に形成される凹部の形状が前記実施形態とは異なり、芯材２５には断面四角形の凹部としての角溝２５０が形成されている。
また、図６は、本発明の第２変形例に係るバンド部材の断面図である。本例では芯材２６に断面Ｖ字形の凹部としてのＶ溝２６０が形成されている。
【００３６】
さらに、図７は、本発明の第３変形例に係るバンド部材の断面図である。本例における芯材２７は断面三日月形状に形成されており、これによって芯材２７の内周部全体に凹部２７０が形成されている。この凹部２７０は、前記実施形態の溝２１０と同様に芯材２７の高さ方向両側の端縁部２７０Ａから内側に向かって次第に窪んでいるため、表皮材２２を凹形状に追従させ易い。これにより、芯材２７と表皮材２２とが密着した状態にできる。
以上の角溝２５０（図５）、Ｖ溝２６０（図６）、および凹部２７０（図７）のいずれも、前記実施形態の溝２１０（図４）のように芯材の周方向の一端から他端まで形成されていることが好ましい。
但し、芯材に形成される凹部は、例えば芯材の周方向における数箇所に断続的に形成されていてもよい。この場合凹部が形成される箇所は、芯材の周方向における曲率の違いなどにより糸や糸近傍の表皮材が芯材表面に対して突出し易い位置や、時計が腕に装着された状態で腕とバンド部材との間に形成される隙間の位置などを勘案して適宜決めればよい。
【００３７】
また、図８は、本発明の第４変形例に係るバンド部材の断面図である。本例では、表皮材３２における縫い目部分（糸２４で縫合される部分およびその近傍の部分）の裏面部３２Ａがすいて薄くしてある。このように表皮材３２の裏面部３２Ａが薄い分、バンド部材の表面に表れる窪み３２Ｂの深さが図３の場合と比べて深くなっている。これにより、糸２４が腕に一層当たりずらくなるとともに、糸２４が一層切れずらくなる。
【００３８】
図９は、本発明の第４変形例に係るバンド部材の断面図である。本例では、前記実施形態とは異なり、芯材２１に表皮材４２を巻く前に図９（Ａ）のように表皮材４２の両端縁部４２Ａ同士を縫い合わせて表皮材４２を筒状にする。そして、図９（Ｂ）のように縫い目部分が内側となるように表皮材４２を裏返し、図９（Ｃ）のように表皮材４２の内側に、接着剤２３を塗布した芯材２１を挿入する。この際、芯材２１の溝２１０に糸２４および糸２４で縫合された部分の表皮材４２が収容されるので、時計の装着時に糸２４が腕に触れない。本例によれば、糸２４が腕に当たることを完全に回避できる。
【００３９】
前記実施形態で示したバンド部材２０は湾曲した略円柱状に形成されていたが、バンド部材の形状はこれに限定されない。バンド部材の形状は、その周方向一端部における断面積と他端部における断面積との差が大きい例えば円錐に近い形状などであってもよい。このような円錐形のバンド部材の芯材を使用する場合、第４変形例で行うような筒状の表皮材を裏返す作業が容易となる。
また、バンド部材の湾曲形状は、完全に曲線で構成されていなくてもよい。すなわち、一部に直線が含まれる湾曲形状であっても、表皮材を芯材に巻いて表皮材の両端縁部を縫い合わせることにより、前記実施形態などで示したものと同様のバンド部材が形成されるのであって、芯材に凹部が形成されることによって前記実施形態と同様の効果が得られる。
【００４０】
また、前記実施形態の時計バンドにはバンド部材が１つだけ含まれていたが、これに限らず、複数のバンド部材を含んでバンド部材が構成されていてもよい。この場合、各バンド部材は直接、あるいは適宜な連結部材を介して連結されていればよい。
【００４１】
前記実施形態などでは時計バンドを構成するバンド部材を示したが、本発明のバンド部材は時計のほかに、バングル、ブレスレット、ネックレス、くるぶし用のアンクレットなどの各種の装身具にも使用できる。これら装身具においても、前記実施形態と同様の効果が得られる。
【００４２】
以上、本発明を実施するための最良の構成について具体的に説明したが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形および改良を加えることができるものである。
上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４３】
【図１】本発明の一実施形態に係る時計を腕に装着した状態を示す斜視図。
【図２】前記時計のバンドを構成するバンド部材の斜視図。
【図３】前記バンド部材の断面図。
【図４】前記バンド部材が備える芯材の斜視図。
【図５】本発明の第１変形例に係るバンド部材の断面図。
【図６】本発明の第２変形例に係るバンド部材の断面図。
【図７】本発明の第３変形例に係るバンド部材の断面図。
【図８】本発明の第４変形例に係るバンド部材の断面図。
【図９】本発明の第５変形例に係るバンド部材の断面図。
【符号の説明】
【００４４】
２０・・・バンド部材、２１・・・芯材、２２Ａ・・・端縁部、２２・・・表皮材、２３・・・接着剤、２４・・・糸（縫合材）、２５・・・芯材、２６・・・芯材、２７・・・芯材、３２・・・表皮材、４２・・・表皮材、４２Ａ・・・端縁部、２１０・・・溝（凹部）、２１１・・・膨出部、２５０・・・角溝（凹部）、２６０・・・Ｖ溝（凹部）、２７０・・・凹部。
【図１】
2009077886.tif 000004
【図２】
2009077886.tif 000005
【図３】
2009077886.tif 000006
【図４】
2009077886.tif 000007
【図５】
2009077886.tif 000008
【図６】
2009077886.tif 000009
【図７】
2009077886.tif 000010
【図８】
2009077886.tif 000011
【図９】
2009077886.tif 000012